(57)【要約】【課題】  円滑に作動する大型窓の開閉金具を提供する。【解決手段】  窓の縦枠１に沿って上下動する連動杆２と、基端を縦枠１に、自由端を障子１１の側端縁にリンク結合させた支持レバー１５と、障子１１の側端縁の上端に連設された連動用係合軸１６及びガイドピン１７と、上記連動用係合軸１６及びガイドピン１７に対応して、上下方向に長い長孔１９、及び上下方向の長穴及び円弧孔を連設した全体の形状が略くの字形の逃げ孔２１とを開口させた係合板１８とを有し、障子の側端縁にロックピン２２を固設し、連動杆２に、ロックピンと摺接して係合能な係止端縁を有する係止片２３を装着すると共に、上記連動用係合軸１６と係合板の長孔１９、及び、ガイドピン１７と逃げ孔２１とを夫々摺動可能に係合させ、また、上記支持レバーの基端の位置を縦枠の中央部に、自由端の揺動軸を障子の側端縁の中央より一端側に設定する。【選択図】  図１
2008106518.tif 000002
【特許請求の範囲】
【請求項１】
ハンドル操作によって窓の縦枠に沿って上下方向に移動可能に案内駆動される連動杆と、基端を窓の縦枠に回動可能に支承され、自由端を障子の側端縁にリンク結合させた支持レバーと、障子の側端縁の一端部においてその長さ方向に沿い、かつ連動杆に向かって突設された連動用係合軸及びガイドピンと、この連動用係合軸及びガイドピンに対向するような相対位置関係で連動杆に配設され、上記連動用係合軸及びガイドピンに対応して、上下方向に長い長孔、及び上下方向の長穴及び円弧孔を連設した全体の形状が略くの字形の逃げ孔とを開口させた係合板とを有し、障子の側端縁のガイドピンより他端側の部分及び連動杆の何れか一方にロックピンを他方に向け突出させて固設し、他方に、ロックピンと摺接して係合可能な係止端縁を有する係止片を装着すると共に、上記連動用係合軸と係合板の長孔、及び、ガイドピンと逃げ孔とを夫々摺動可能に係合させ、上記ロックピンおよび係止片の係脱に要する連動杆の移動行程中は連動用係合軸を長孔中で遊動させるようにし、一方、上記支持レバーの基端の位置を縦枠の中央部に、自由端の揺動軸を障子の側端縁の中央より一端側に設定したことを特徴とする大型窓開閉金具。
【発明の詳細な説明】
【技術分野】
【０００１】
この発明は、大型窓の開閉金具（以下単に開閉金具という）に係り、特に、円滑に作動し、窓の開閉に要する作動力を小さくすることができる開閉金具に関する。
【背景技術】
【０００２】
本出願人等は、先に、後記特許文献１を以て、新規なルーバー窓用の開閉金具を提案した。
【０００３】
この開閉金具は、ハンドル操作により窓の縦枠に沿って上下方向に案内駆動される連動棒に、窓枠開口部の上下方向に並設された複数のルーバーを連動用係合軸により係合して、上記連動棒の上下方向移動により複数のルーバーを連動して開閉するようにしたルーバー窓において、ルーバーの側端縁下部および連動棒の何れか一方にロックピンを他方に向け突出させて固設し、この他方に、ロックピンと摺接して係合能な係止端縁を有する係止片を装着すると共に、上記連動用係合軸と係合する連動棒およびルーバーの側端縁の何れか一方に、上下方向に長い長孔を形成し、上記ロックピンおよび係止片の係脱に要する連動棒の移動行程中は連動用係合軸を長孔中で遊動させるようにしたことを特徴とするものである。
【特許文献１】実公平７−３４１３３号公報
【発明の開示】
【発明が解決しようとする課題】
【０００４】
上記した構成のルーバー窓用の開閉金具は、各ルーバーが揺動する支持レバーの自由端に設けられた揺動軸に支持されて外側に振出されると共に、揺動軸を中心とする挺子のように回動し、また、上記挺子の力点となる上記連動用係合軸と挺子の中心とな揺動軸との間隔が小さい。
【０００５】
そのため、ルーバー窓のように上下方向の寸法が小さい場合は兎も角、大型の窓の開閉金具としてこの開閉金具の構造を採用すると、開閉操作力が大きくなり、作動が円滑でなくなる、という不都合がある。
【０００６】
そこで、この発明は、ルーバー窓開閉金具を改良して、円滑に作動し、かつ窓の開閉に要する作動力を小さくすることができる開閉金具を提供することを目的としている。
【課題を解決するための手段】
【０００７】
上記の目的を達成するため、この発明は、ハンドル操作によって窓の縦枠に沿って上下方向に移動可能に案内駆動される連動杆と、基端を窓の縦枠に回動可能に支承され、自由端を障子の側端縁にリンク結合させた支持レバーと、障子の側端縁の一端部においてその長さ方向に沿い、かつ連動杆に向かって突設された連動用係合軸及びガイドピンと、この連動用係合軸及びガイドピンに対向するような相対位置関係で連動杆に配設され、上記連動用係合軸及びガイドピンに対応して、上下方向に長い長孔、及び上下方向の長穴及び円弧孔を連設した全体の形状が略くの字形の逃げ孔とを開口させた係合板とを有し、障子の側端縁のガイドピンより他端側の部分及び連動杆の何れか一方にロックピンを他方に向け突出させて固設し、他方に、ロックピンと摺接して係合可能な係止端縁を有する係止片を装着すると共に、上記連動用係合軸と係合板の長孔、及び、ガイドピンと逃げ孔とを夫々摺動可能に係合させ、上記ロックピンおよび係止片の係脱に要する連動杆の移動行程中は連動用係合軸を長孔中で遊動させるようにし、一方、上記支持レバーの基端の位置を縦枠の中央部に、自由端の揺動軸を障子の側端縁の中央より一端側に設定したことを特徴とする。
【発明の効果】
【０００８】
上記のように構成されたこの発明による開閉金具は、障子を担持する揺動軸と、障子を開閉する挺子の力点となる連動用係合軸との距離を長くしたので、重量の大きな大型窓の開閉に要する作動力が小さくなり、かつ、開閉動作が円滑になる、という所期の効果を奏する。
【発明を実施するための最良の形態】
【０００９】
障子を担持する揺動軸と、障子を開閉する挺子の力点となる連動用係合軸との距離を長くする、という簡単な構成で、ルーバー窓の開閉金具を大型窓の開閉金具に転用することかできた。
【実施例１】
【００１０】
以下、この発明の一実施例を図面を参照して説明する。
なお、以下の説明において障子及び窓枠からなる大型窓の基本的な構成は前記特許文献１に記載のルーバー窓のそれと同様であるから、簡単に説明する。
【００１１】
図１において符号１は例えばオーニング窓のような大型窓の窓枠の外面から見て右側の縦枠を示し、この縦枠１内には、これとほぼ平行で板状の連動杆２が縦枠１の長さ方向、すなわち上下方向に移動可能に案内されている。
【００１２】
この連動杆２の下端部は、第２リンクレバー３を介して、第１リンクレバー４の自由端にリンク結合されており、上記第１リンクレバー４の基端は、横断面異形の連結バー５の一端に、当該連結バー回りの回動を拘束された状態で結合されている。
【００１３】
なお、上記第１および第２リンクレバー４、３および連動杆２は一種のスライダクランク機構を構成し、第１リンクレバー４が回動すれば連動杆２はその長さ方向に沿って上下動する。
【００１４】
一方、上記連結バー５は窓枠の下枠６に沿って延在する棒状体であって、図示しないその他端には、第１図とは対称的に同大同形の他の図示しない第１リンクレバー４の基端が結合され、その第１リンクレバー４の自由端は、同様にして第２リンクレバーを介して図示しないもう１本の連動杆の下端部にリンク結合されている。
【００１５】
すなわち、連動杆２は窓枠の左右の縦枠に１本づつ設けられており、これら一対の連動杆２、２は、連結バー５の回動により、一体的に連動して上下動する。
【００１６】
上記連結バー５を駆動するため、第１図に示すように、縦枠１の下端部に図示しないギアボックス及び操作ハンドルが設けられている。
【００１７】
操作ハンドルの内端には例えばウォーム（図示せず）が装着されており、このウォームは、ギアボックス内に回動自在に支承された図示しないウォームギアと噛み合っている。
【００１８】
そして、このウォームに結合されたダルマ形の駆動板７の突出部は、作動レバー８を介して、前記第１及び第２リンクレバー４、３の結合ピン９にリンク結合されている。
【００１９】
なお、図１に示す実施例では、結合ピン９と駆動板７の突出部との間にもう１本のレバーが有るように描かれているが、このレバーは図１で向う側の縦枠に設けられた大型窓施錠用のレバーであって、この発明と関係がないので、更に詳細な説明は省略する。
【００２０】
上記した構成により、操作ハンドル８の回動は減速されて第１作動レバー９に伝達され、さらに第２作動レバー１０の長さ方向の移動に変換されて前記スライダクランク機構に伝わり、連動杆２の上下動に変換される。この連動杆２の動きは、連結バー５を介して、対をなす他方の連動杆にも伝達されるヒとは前記したとおりである。
【００２１】
一方、窓枠の外面側（図１で左側）には、大型窓の障子１１が上端を中心にして外側に振出し可能に案内されて装着されている。
【００２２】
図示の実施例における障子１１は、例えばガラス板の外辺部をアルミ引抜材で縁取った板状体である。
【００２３】
そして、図１に示すように、上記障子１１の各側端縁の上方から約１／３の長さの部分に、保持板１２を介して、揺動軸１４が植設されており、この揺動軸１４は、支持レバー１５を介して、縦枠１の中央部における固定部にリンク結合されている。
【００２４】
上記の構成により、障子１１は、揺動軸１４、１４及び支持レバー１５、１５を介して、縦枠１に回動可能に支承されることになる。
【００２５】
また、上記障子１１の各側端縁上端部には、図１乃至図３に示すように、全体の形状が略Ｊ字形の段付板状体である支持片１３が装着されている。
【００２６】
そして、各支持片１３の上端には連動用係合軸１６及びガイドピン１７（図２及び図３参照）が植設されており、これらのピンはそれぞれ連動杆２に臨んでいる。
【００２７】
これら連動用係合軸１６及びガイドピン１７に対向する連動杆２の部分には段付の係合板１８が装着されており、この係合板１８には、それぞれ連動用係合軸１６及びガイドピン１７に対応して、上下方向に長い長孔１９と、上下方向の長孔及び円弧孔を連設した全体の形状が略くの字形の逃げ孔２１とが開口している（図２参照）。
【００２８】
そして、上記連動用係合軸１６は長孔１９と、ガイドピン１７は逃げ孔２１とそれぞれ摺動可能に係合している。
【００２９】
他方、障子１１の各側端縁上部の前記支持片１３には、図２及び図３に示すように、連動杆２に向けてロックピン２２が突設されており、連動杆２には、障子閉鎖時このロックピン２２と係合して障子１１を窓枠に錠止する係止片２３が装着されている。
【００３０】
図示の実施例における係止片２３は、前記係合板１８に連設された全体の形状が鉤形の板材で、連動杆２および縦枠１に平行な係止端縁２３ａと、この係止端縁２３ａの先端に連設された傾斜端縁２３ｂとを有し（図２）、窓閉鎖状態においては、上記係止端縁２３ａが外側からロックピンと係合する。
【００３１】
また、傾斜端縁２３ｂは、ロックピン２２と係止片２３とが係合のため相互に近接するとき、傾斜端縁２３ｂが先ずロックピン２２と当接し、これらの間に作用するくさび作用により、ロックピン２２を窓枠側に押し付ける作用をする。
【００３２】
ちなみに、上記ロックピン２２を連動杆２に、係止片２３をルーバーの側端縁に配設してもよいことは言うまでもない。
【００３３】
また、前記連動用係合軸１６の長孔１９における上下方向の遊動量は、ロックピン２２及び係止片２３の係脱に要する相互移動量と同程度に設定するものとする。
【００３４】
上記のように構成された本発明の一実施例による開閉金具は、障子の閉鎖時には、図４に示すように、連動用係合軸１６が長孔１９の下端に定座している。
【００３５】
窓を開けるため操作ハンドルを所定の方向に回すと、連動杆２は下降を始め、不動のロックピン２２に対し相対的に係止片２３が下降するので、これらの係合が解け始めるが、これらが係合している間は連動用係合軸１６は長孔１９中で遊動しているので障子１１には連動杆２からの操作力は作用しない（図４参照）。
【００３６】
ロックピン２２と係止片２３との係合が完全に解けると（図５参照）、連動用係合軸１６が長孔１９の上端に到達し、以降連動杆２がさらに下降すると、図１及び図６に示すように、障子１１に揺動軸１４回り時計方向のモーメントが作用し障子１１が開く。このモーメントは図示しないもう一方の縦枠側からも作用することは言うまでもない。
【００３７】
障子を閉めるため操作ハンドルを逆方向に回すと、各部材は図６図示の状態から、図１、及び図５に示す状態を経て、図４に示す状態になることは前記したとおりである。
【００３８】
なお、特に障子を閉めるとき、障子１１には自重によって常時開放方向に回動するモーメントが作用しており、このモーメントは揺動軸１４（図１参照）の回りで反時計方向に作用する。
【００３９】
本発明においては、障子１１を揺動軸１４を中心とする挺子と看做した場合、力点である連動用係合軸１６と揺動軸１４との距離が大きいので、障子を閉めるときでもその作用力を小さくし、開閉操作を円滑にすることは前記した通りである。
【００４０】
また、障子１１の回動軸である揺動軸１４は、縦枠に直接固定されておらず、支持レバー１５を介して間接的に、かつ揺動可能に縦枠１に支持されている。
【００４１】
それは、連動用係合軸１６を介して相互に係合する障子１１の側端縁と連動杆２とが、前者が揺動軸１４回りの回動をするのに対し後者が上下方向の直線動をするため、一方を自由にしておかないと両者の係合部にこじりが生じるからである。
【図面の簡単な説明】
【００４２】
【図１】この発明の一実施例による開閉金具を装着した大型窓の線図的側面図で、障子が少し開いている状態を示す。
【図２】支持片と係合板の拡大平面図。
【図３】支持片と係合板の拡大側面図。
【図４】図１と同様の線図的側面図で、障子が閉鎖され、係止片によりロックピンが拘束されている状態を示す。
【図５】図１と同様の線図的側面図で、障子が閉鎖されてはいるが係止片によるロックピンの拘束が解けた状態を示す。
【図６】図１と同様に線図的側面図で、障子が一杯に開いた状態を示す。
【符号の説明】
【００４３】
１  縦枠
２  連動杆
３  第２リンクレバー
４  第１リンクレバー
５  連結バー
６  上枠
７  駆動板
８  作動レバー
９  結合ピン
１１  障子
１２  保持板
１３  支持片
１４  揺動軸
１５  支持レバー
１６  連動用係合軸
１７  ガイドピン
１８  係合板
１９  長孔
２１  逃げ孔
２２  ロックピン
２３  係止片
【図１】
2008106518.tif 000003
【図２】
2008106518.tif 000004
【図３】
2008106518.tif 000005
【図４】
2008106518.tif 000006
【図５】
2008106518.tif 000007
【図６】
2008106518.tif 000008